(57)【要約】本発明は、下部が開放したスラッジ室の下に、スラッジろ過ベルトが位置し、スラッジをチャンバ内に注入し、注入されたスラッジ上に加圧用チューブ又はメンブレインが設けられ、スラッジに圧力を加えて、ろ過ベルトで水をろ過させて排出して脱水するか、ろ過ベルトの下に、圧力でろ過ベルトが垂れないように支えると共に、脱水された水が下部に移動するように、スチールメッシュ状の網、又はマトリックス状で多数の孔が形成された構造物を設け、スラッジ注入部でスラッジを注入した後、スラッジ上に位置したメンブレインに液体又は空気を注入し、スラッジに圧力を加えて、ろ過ベルトの下部に、スラッジに含まれた水を脱水するように構成されたスラッジ脱水セット、及びこれを複数の層で組立製作したスラッジ脱水装置に関する。【選択図】図１
2015522404.tif 000002
【特許請求の範囲】
【請求項１】
複数の層で構成されたスラッジ脱水装置において、
両側縁にローラによって張り切るように構成され、スラッジに含まれた水と水分をろ過するためのスラッジろ過ベルトと、
前記ろ過ベルト上に密着して位置し、スラッジに含まれた水と水分を脱水するために、スラッジが注入される下部が開放したスラッジ室と、
前記スラッジ室の内側上部に位置し、注入される空気又は液体によって、スラッジを加圧するための加圧用チューブ又はメンブレインと、
前記加圧用チューブでスラッジを加圧する場合に生じる水を集めるための水受とを含む脱水セットを構成し、
前記スラッジ脱水セットを複数の層で製作して、多量のスラッジを脱水処理することを特徴とする複数の層で構成されたスラッジ脱水装置。
【請求項２】
前記スラッジ脱水セットを複数の層で構成するために、複数のスラッジ室と、加圧用チューブと、ローラと、ろ過ベルトと、水受とを固設するガイド及び支持台を備えることを特徴とする請求項１に記載の複数の層で構成されたスラッジ脱水装置。
【請求項３】
前記スラッジ脱水装置は、脱水時に、それぞれのスラッジ室をそれぞれのろ過ベルトに密着して、スラッジに含まれた水と水分をろ過して脱水した後、脱水されたケーキをスラッジケーキ貯蔵容器に移送するために、加圧用チューブが内蔵したそれぞれのスラッジ室を上部に移動するために、外部フレームの上部又は下部に油圧シリンダを、更に備えることを特徴とする請求項１または２に記載の複数の層で構成されたスラッジ脱水装置。
【請求項４】
前記複数の層で構成されたスラッジ脱水装置に設けられたそれぞれのスラッジ室には、スラッジ注入口が設けられ、 
スラッジ室の内部へのスラッジの注入は、スラッジ貯蔵タンクと連結された１つの配管から分枝して、それぞれのスラッジ注入口と連結されるように構成し、 
スラッジ貯蔵タンクと連結された配管の一側に、１つのスラッジ注入ポンプを設ける構成、２以上のスラッジ注入ポンプを用いて、グループ別に形成した構成、及び分枝されたそれぞれの配管の一側に設ける構成より１つを選択することを特徴とする請求項１又は２に記載の複数の層で構成されたスラッジ脱水装置。
【請求項５】
前記スラッジ脱水装置は、水受と下部チャンバとを一括して一体に構成することを特徴とする請求項１または２に記載の複数の層で構成されたスラッジ脱水装置。
【請求項６】
前記スラッジ脱水装置は、複数の層で構成されたスラッジ脱水セットを締結した後、上下に分離したとき、それぞれのスラッジ脱水セットの間が、上下設定間隔を維持するラッチを備えることを特徴とする請求項１または２に記載の複数の層で構成されたスラッジ脱水装置。
【請求項７】
前記それぞれのスラッジ室内に位置するそれぞれの加圧用チューブ又はメンブレインの一側には、空気又は液体注入口が設けられ、スラッジ室内を加圧するために、空気又は液体を加圧用チューブ中に注入するために、空気又は液体注入のための注入ポンプを備え、
１つの空気又は液体注入ポンプを介して出た１つの配管から分枝し、空気又は液体注入口と連結して空気又は液体を注入する構成、又は２以上の空気又は液体注入ポンプを設けることを特徴とする請求項４に記載の複数の層で構成されたスラッジ脱水装置。
【請求項８】
前記加圧用チューブ又はメンブレインは、空気又は液体を注入して圧力を高める場合に、膨張してスラッジを加圧し、空気又は液体の圧力が低い場合に収縮し、高い圧力に耐えらえ、耐久性の高いゴム材質又は合成樹脂材質で製作されることを特徴とする請求項７に記載の複数の層で構成されたスラッジ脱水装置。
【請求項９】
前記加圧用チューブは、スラッジ室の内側形状に合わせて製作されて、スラッジ室の上部に固設されることを特徴とする請求項７に記載の複数の層で構成されたスラッジ脱水装置。
【請求項１０】
スラッジ脱水セットにおいて、
ろ過ベルトの下に位置し、ろ過ベルトが圧力で垂れるか、延伸しないように支えると共に、脱水された水が下部に移動するように、スチールメッシュ状の網、又はマトリックス状に多数の孔が形成された構造物と、
スチールメッシュ状の網、又はマトリックス状に多数の孔が形成された構造物の下部に設けられ、脱水された水を集める集水部と、
集水部の下部に設けられ、液体又は空気を注入して、スラッジに圧力を加えるための液体又は空気注入部と、
液体又は空気注入部の下端に設けられ、弾性を有して、液体、 空気及びスラッジが互いに通過しないように密閉して構成されて、液体又は空気注入部に注入される液体又は空気の圧力によって、下部のスラッジに圧力を加えるメンブレインと、
メンブレインの下部に設けられ、脱水するためのスラッジが注入されるスラッジ注入部と、
スラッジ注入部の下部に設けられ、空気注入部で加える圧力により、スラッジ注入部に注入されたスラッジを脱水するために、チャンバ下部の両側縁に設けられたローラによって張り切るろ過ベルトとから構成されることを特徴とするスラッジ脱水セット。
【請求項１１】
チャンバの前面又は後面のスラッジ注入部の上部には、スラッジ注入口が設けられ、設定量のスラッジを注入した後、スラッジ注入口の一側に設けられたバルブで閉弁するように構成され、
チャンバの前面又は後面の液体又は空気注入部の上部には、液体又は空気注入口が設けられ、液体又は空気注入ポンプで液体又は空気を注入して、スラッジに圧力を加えるように構成されることを特徴とする請求項１０に記載のスラッジ脱水セット。
【請求項１２】
メンブレインは、液体又は空気の注入による収縮性を収容する弾性を有し、液体、空気、及びスラッジが通過しない材質から構成されることを特徴とする請求項１０に記載のスラッジ脱水セット。
【請求項１３】
チャンバの前面及び後面には、上部と下部チャンバが相互離脱するか、分離しないように、チャンバの前面と後面にガイド溝が形成された部材を設け、上部ガイド溝と下部ガイド溝を相互連結して、チャンバを保持する一定の長さを有するガイド部材で締結し、
ガイド溝が形成された部材を左側及び右側にそれぞれ２つずつ設け、締結において、ガイド部材が互いにぶつからないように、内側の２つを上部チャンバと連結することに用い、外側の２つは、下部チャンバとの連結に用いるように設けられ、 
ガイド部材の上部及び下部には、ガイド溝からガイド部材が離脱しないように係止部材が締結されることを特徴とする請求項１０〜１２のいずれか一項に記載のスラッジ脱水セット。
【請求項１４】
スラッジ脱水セットには、チャンバの集水部の左右側ろ過ベルトの下部にそれぞれ設けられ、スラッジの脱水後、脱水されたスラッジをスラッジ貯蔵容器に移送するとき、ろ過ベルトと集水部の上部との間の摩擦力を減少し、ローラを駆動するモータの負荷を低減し、ろ過ベルトの損傷を減少するアイドルプーリが、更に設けられることを特徴とする請求項１３に記載のスラッジ脱水セット。
【請求項１５】
スラッジ脱水セットには、貯蔵容器に移送するために複数の層が上部に移動するか、脱水ケーキの移送後、チャンバが下部のろ過ベルト上に移動するとき、隣接したチャンバが相互離脱することなく、上下への正確な位置に移動できるように、フレームの両側縁の上部に１つの凸部を上に形成し、両側縁の下部に下に２つの凸部を形成して、１つの凸部が２つの凸部の間に位置するように構成することを特徴とする請求項１０に記載のスラッジ脱水セット。
【請求項１６】
スラッジ脱水セットの集水部と、液体又は空気注入部との間には、隔壁が形成され、液体又は空気注入部で加える圧力に耐えられるように構成され、液体又は空気注入部に液体又は空気を注入する場合に、メンブレイン側に圧力が伝達されるように構成されることを特徴とする請求項１０に記載のスラッジ脱水セット。
【請求項１７】
液体又は空気注入部の内部一側には、圧力センサを設け、液体又は空気注入ポンプによって注入される液体又は空気による圧力を測定して、設定圧力を維持するように構成されることを特徴とする請求項１０に記載のスラッジ脱水セット。
【請求項１８】
複数の層を有するスラッジ脱水装置において、
ろ過ベルトの下に位置し、ろ過ベルトが圧力で垂れるか、延伸しないように支えると共に、脱水された水が下部に移動するように、スチールメッシュ状の網、又はマトリックス状に多数の孔が形成された構造物と、
スチールメッシュ状の網、又はマトリックス状に多数の孔が形成された構造物の下部に設けられ、脱水された水を集める集水部と、
集水部の下部に設けられ、液体又は空気を注入して、スラッジに圧力を加えるための液体又は空気注入部と、
液体又は空気注入部の下端に設けられ、弾性を有して、液体、 空気及びスラッジが互いに通過しないように密閉して構成されて、液体又は空気注入部に注入される液体又は空気の圧力によって、下部のスラッジに圧力を加えるメンブレインと、
メンブレインの下部に設けられ、脱水するためのスラッジが注入されるスラッジ注入部と、
スラッジ注入部の下部に設けられ、空気注入部で加える圧力により、スラッジ注入部に注入されたスラッジを脱水するために、チャンバ下部の両側縁に設けられたローラによって張り切って維持されるろ過ベルトとから構成されるスラッジ脱水セットを備え、
前記スラッジ脱水セットを複数の層で形成することを特徴とする複数の層を有するスラッジ脱水装置。 
【請求項１９】
スラッジ脱水装置は、最上端のチャンバと、油圧又は空気圧シリンダとを連結して、脱水されたスラッジの排出のために、複数のチャンバを上部に移動させ、スラッジ脱水を行うとき、上部で油圧又は空気圧シリンダを用いて、複数のチャンバをろ過ベルトに密着して構成することを特徴とする請求項１８に記載の複数の層を有するスラッジ脱水装置。
【請求項２０】
スラッジ脱水装置は、複数のチャンバスラッジの注入口と並列にスラッジ注入配管を連結設置して、同時に設定されたスラッジ量を、スラッジ注入部で注入するように構成することを特徴とする請求項１８に記載の複数の層を有するスラッジ脱水装置。
【請求項２１】
スラッジ脱水装置は、複数のチャンバの液体又は空気注入口と並列に液体又は空気注入配管又はホースを設けて、同時に設定圧力で液体又は空気を、液体又は空気注入部で注入することを特徴とする請求項１８に記載の複数の層を有するスラッジ脱水装置。
【請求項２２】
チャンバの前面及び後面には、上部と下部チャンバが相互離脱するか、分離しないように、チャンバの前面と後面にガイド溝が形成された部材を設け、上部ガイド溝と下部ガイド溝とを相互連結して、チャンバを保持する一定の長さを有するガイド部材で締結し、
ガイド溝が形成された部材を左側及び右側にそれぞれ２つずつ設け、締結において、ガイド部材が互いにぶつからないように、内側の２つを上部チャンバと連結することに用い、外側の２つは、下部チャンバとの連結に用いるようにガイド溝が設けられ、 
ガイド部材の上部及び下部には、ガイド溝からガイド部材が離脱しないように係止部材が締結されることを特徴とする請求項１８に記載の複数の層を有するスラッジ脱水装置。
【発明の詳細な説明】
【技術分野】
【０００１】
本発明は、下部が開放したスラッジ室の下に、スラッジろ過ベルトが位置し、スラッジをチャンバ内に注入し、注入されたスラッジ上に加圧用チューブが設けられ、スラッジに圧力を加えて、ろ過ベルトで水をろ過させて排出して脱水するか、ろ過ベルトの下に、圧力でろ過ベルトが垂れないように支えると共に、脱水された水が下部に移動するように、スチールメッシュ状の網、又はマトリックス状で多数の孔が形成された構造物を設け、スラッジ注入部でスラッジを注入した後、スラッジ上に位置したメンブレインに液体又は空気を注入し、スラッジに圧力を加えて、ろ過ベルトの下部に、スラッジに含まれた水を脱水するように構成されたスラッジ脱水セット、及びこれを複数の層で組立製作したスラッジ脱水装置に関する。
【背景技術】
【０００２】
従来のスラッジ脱水方法は、ベルトプレス方法(BELT PRESS METHOD)と、フィルタプレス方法(FILTER PRESS METHOD)とがある。 
【０００３】
ベルトプレス方法は、２つのフィルタベルトの間に、スラリが含有された液体を内蔵した後、このようなフィルタベルトを多数のローラに沿って移動させながら、フィルタベルトにかかる張力を用いて、スラリだけがフィルタベルトに残留し、液体は、フィルタベルトの外に排出するように構成したものであるが、液体除去の効率を向上するために、過多な張力がフィルタベルトに与えられる場合、ベルトが切断されるか、２つのフィルタベルトの間を介して、スラリが外部に排出されるという不都合がある。
【０００４】
また、フィルタプレス方法は、多数のフィルタの間に、スラリが含有された液体を内蔵した後、両端部から加圧して、スラリだけをフィルタの間に残留させ、液体は、フィルタの外部に排出するように構成したものであるが、装備が大きく且つ重くて、その設置空間が大きくなければならず、また、動力消耗が大きく、広い空間で作業を行わなければならないため、悪臭が飛散するという不都合がある。
【０００５】
本発明の発明者が特許出願して登録された、公開特許公報第10-2001-0025528号には、スラッジが注入されたチャンバ内に高圧ガスを注入して、スラッジに含まれた水分を除去する技術的構成が開示されているが、高圧ガス自体がフィルタを通過するなどの問題があるため、水分除去の効率が低く、処理容量が小さいという不都合がある。 
【発明の概要】
【発明が解決しようとする課題】
【０００６】
本発明の技術的課題は、スラッジ中の水をろ過するためのろ過ベルトと、スラッジを注入するスラッジ室と、スラッジ室内のスラッジを圧縮するための空気又は液体が注入される加圧用チューブ(又は、メンブレイン)と、ろ過ベルトを通過して出た水を受けるための水受容器とからなるスラッジ脱水セットを、複数の層で構成して、効率よく大量のスラッジを処理することにある。 
【０００７】
本発明の他の技術的課題は、スラッジ脱水セットを締結固定するか、分離して上下に移動するように構成されたガイド及び支持台に、多数のスラッジ脱水セットを締結固定して、複数の層で構成し、外部フレームの上部に固設された油圧シリンダを用いて、ろ過ベルトの上部にあるスラッジ室を上下に移動させて、上下層を締結した後、スラッジ室にスラッジを満たし、加圧用チューブに空気又は液体を注入して、圧力を加えて脱水した後、ローラを回転してろ過ベルトを移動させて、スラッジケーキをスラッジケーキ貯蔵容器に同時に排出するように構成することで、迅速にスラッジを処理することにある。 
【０００８】
また、本発明の他の技術的課題は、スラッジに含まれた水をろ過するためのろ過ベルトの下に、脱水された水を通過させて水を集め、脱水時にろ過ベルトが下部に垂れないように強固に支えるスチールメッシュ状の網、又はマトリックス状の孔が形成された構造物で効率よく脱水し、脱水された水を集めて排出してスラッジを脱水するスラッジ脱水セット及び脱水装置を提供することにある。
【０００９】
更に、本発明の他の技術的課題は、複数の層でスラッジ脱水装置を組立設置するように構成して、スラッジ脱水装置の設置に占める空間を低減し、それぞれの層別に分離するように構成して、メインテナンスを容易にすることにある。 
【００１０】
なお、本発明の他の技術的課題は、それぞれのチャンバに空気又は液体を注入するに当たり、１つの液体又は空気注入ポンプで同時注入するか、１つの注入ポンプで２以上の多数のチャンバに同時に注入加圧できるように構成し、スラッジ注入において、１つのスラッジ注入ポンプで同時注入するか、１つのスラッジ注入ポンプで２以上の多数のチャンバにスラッジを注入できるように構成して、設置コストを節減し、効率的な制御が行えるようにすることにある。
【００１１】
また、本発明の他の技術的課題は、フレームの両側縁の上部に１つの凸部を上に形成し、フレーム両側縁の下部には、２つの凸部を下に形成し、前後には、上部及び下部の層を連結するガイド溝とガイド部材が締結されるように形成することで、複数の層が上下に移動するとき、離脱することなく、一定の間隔を維持するようにすることにある。 
【００１２】
更に、本発明の他の技術的課題は、アイドルローラを集水部の左右側にそれぞれ設け、スラッジの脱水後、脱水されたスラッジをスラッジ貯蔵容器に移送するとき、ろ過ベルトと集水部の上部との摩擦力を減少して、ろ過ベルトの損傷を低減し、モータの負荷を減少して、エネルギーを節約することにある。 
【課題を解決するための手段】
【００１３】
本発明の技術的な解決方法は、スラッジ中の水をろ過するためのろ過ベルトと、食べ物、汚廃水又は下水のスラッジなどが注入されるスラッジ室と、スラッジ室内に固設され、スラッジを圧縮するための空気又は液体が注入される加圧用チューブ(又は、メンブレイン)と、ろ過ベルトを通過して出た水を受けるための水受とから構成されたスラッジ脱水セットを、複数の層で設計製作して、多量のスラッジを迅速で効率よく処理する複数の層で構成されたスラッジ脱水装置を具現することにある。 
【００１４】
本発明の他の技術的な解決方法は、ろ過ベルトと、スラッジ室と、スラッジ室内のスラッジを圧縮するための加圧用チューブ(メンブレイン)と、水受とからなるスラッジ脱水セットを上下にガイドするか、支持するためのガイド及び支持台を備え、ガイド及び支持台に外部フレームの上部又は下部に設けられた油圧シリンダによって、スラッジ室とスラッジ室内に位置した加圧用チューブ(メンブレイン)だけを上下に移動するように構成し、ろ過ベルトの両側縁で張り切るローラと、ろ過ベルトの下部の水受と隣接した下部のスラッジ脱水セットのスラッジ室が一体に固設された複数の層で構成されたスラッジ脱水装置を具現することにある。 
【００１５】
また、本発明の他の技術的な解決方法は、複数の層で構成されたスラッジ脱水セットにおいて、スラッジ室内にスラッジの注入と、加圧用チューブ中に空気又は液体の注入と、脱水後のスラッジ室を上部に移動させ、スラッジケーキの排出、及び加圧用チューブ(メンブレイン)中に空気又は液体を注入して脱水する構成などの一連の動作が、同時に行われるように構成されることにより、多量のスラッジを迅速で効率よく処理するように構成された複数の層で構成されたスラッジ脱水装置を具現することにある。
【００１６】
更に、本発明の他の技術的な解決方法は、スラッジに圧力を加えてろ過ベルトを用いて水を脱水するために、ろ過ベルトの下部に圧力でろ過ベルトが垂れないように支えると共に、脱水された水が下部に移動するように、スチールメッシュ状の網、又はマトリックス状で孔が形成された構造物を設け、網又は孔を通過して集水部に集めた水は、排出口を通じて排出され、集水部の下部には、液体又は空気注入部が設けられ、液体又は空気注入部の下部には、スラッジ注入部が設けられ、液体又は空気注入部とスラッジ注入部との間には、メンブレインが固設され、注入される液体又は空気の圧力でスラッジに圧力を加えて、ろ過ベルトの下部に、スラッジに含まれた水を脱水させるように構成された複数の層を有するスラッジ脱水セット及びスラッジ脱水装置を具現することにある。 
【００１７】
なお、本発明の他の技術的な解決方法は、液体又は空気注入部と、スラッジ注入部との間に設けられるメンブレインの場合、液体、空気、及びスラッジが互いに通過しない弾性の高い材質でチャンバ内に水平に固設され、液体又は空気の圧力によって上下に移動するように構成され、スラッジを脱水するように構成された複数の層を有するスラッジ脱水セット及びスラッジ脱水装置を具現することにある。 
【００１８】
また、本発明の他の技術的な解決方法は、メンブレインの下部に注入されるスラッジの高さを低く形成して、上部に位置したメンブレインに圧力を加えて高い脱水率で脱水を行い、同一の構造で複数の層を構成して、同時にスラッジを注入脱水処理して、スラッジの脱水量を増加し、スラッジ脱水装置が占める空間を減少する複数の層を有するスラッジ脱水セット及びスラッジ脱水装置を具現することにある。 
【００１９】
更に、本発明の他の技術的な解決方法は、複数の層が上下に移動することに当たり、離脱することなく、その場で締結されるように、両側縁の上部に１つの凸部を上に形成し、両側縁の下部に２つの凸部を下に形成し、複数の層が上部に移動するとき、上部と下部のチャンバの間が一定の間隔を維持するように、ガイド溝とガイド部材とが締結された複数の層を有するスラッジ脱水装置を具現することにある。
【発明の効果】
【００２０】
本発明によると、スラッジ中の水と水分をろ過するためのろ過ベルトと、スラッジを注入するスラッジ室と、スラッジ室内のスラッジを圧縮するための空気又は液体が注入される加圧用チューブと、ろ過ベルトを通過して出た水を受けるための水受容器とからなるスラッジ脱水セットを、複数の層で構成して、効率的に多量のスラッジを迅速に処理することができる。 
【００２１】
また、本発明によると、スラッジ脱水セットを複数の層で締結するか、一部の構成は、上下に移動するように設計製作されたガイド及び支持台を備え、外部フレームの上部又は下部に設けられた油圧シリンダを用いて、それぞれのろ過ベルトの上部にあるそれぞれのスラッジ室を上部に移動した後、それぞれのローラを回転してろ過ベルトを一側に移動させて、ろ過ベルト上にあるそれぞれのスラッジケーキを同時に排出できるように構成して、スラッジ処理を迅速に行える。
【００２２】
更に、本発明によると、スラッジに含まれた水をろ過するためのろ過ベルトの下部に、脱水された水を通過させて水を集め、脱水時にろ過ベルトが下部に垂れないように強固に支えるメッシュ状の網、又はマトリックス状の孔が形成された構造物で効率よく脱水し、脱水された水を集めて排出してスラッジを脱水するスラッジ脱水セット及び脱水装置を提供することができる。
【００２３】
なお、本発明によると、効率的な脱水のために、１つの層に脱水するスラッジ層を薄く形成して脱水を行うように構成し、複数の層を形成して、物理的に相互分離して脱水を行うので、全体として脱水される量を増加させ、脱水の時間を低減し、脱水率を向上することができる。
【００２４】
また、本発明によると、複数の層で装置を組立設置するように構成して、装置の設置に占める空間を減らし、それぞれの層別に分離可能に構成することで、メインテナンスを容易にすることができる。 
【００２５】
更に、本発明によると、それぞれのチャンバに空気又は液体を注入するとき、１つの液体又は空気注入ポンプで同時注入するか、１つの注入ポンプで２以上の多数のチャンバに同時に注入加圧できるように構成し、スラッジ注入において、１つのスラッジ注入ポンプで同時注入するか、１つのスラッジ注入ポンプで２以上の多数のチャンバにスラッジを注入できるように構成することで、設置コストを節減し、効率的な制御が可能である。
【００２６】
なお、本発明によると、スラッジ脱水のために、スラッジに圧力を加える、スラッジ上に固設されるメンブレインは、液体又は空気の圧力により、上部又は下部に移動可能な高弾性を備え、液体、空気、及びスラッジが通過しない材質で構成されることで、効率的な脱水が可能である。
【００２７】
また、本発明によると、フレーム両側縁の上部に１つの凸部を上に形成し、フレーム両側縁の下部には、２つの凸部を下に形成し、前後には、上部と下部層を連結するガイド溝とガイド部材が締結するように形成することで、複数の層が上下に移動するとき、離脱することなく、一定の間隔を維持することができる。 
【００２８】
更に、本発明によると、アイドルローラを集水部の左右側にそれぞれ設け、スラッジの脱水後、脱水されたスラッジをスラッジ貯蔵容器に移送するとき、ろ過ベルトと集水部の上部との摩擦力を減少することで、ろ過ベルトの損傷を低減し、ローラを駆動するモータの負荷を減少することで、エネルギーを節約することができる。
【図面の簡単な説明】
【００２９】
【図１】図１は、本発明によるスラッジ脱水セットが複数の層で設計製作されたスラッジ脱水装置の全体的な構成を示す図である。
【図２】図２は、本発明による複数の層で構成されたスラッジ脱水装置が、脱水後にスラッジケーキを排出する場合の状態を示す図である。
【図３】図３は、本発明により製作された１つのセットを構成するスラッジ脱水セットの側面図である。
【図４】図４は、本発明により製作された１つのスラッジ脱水セットの一側縁部を拡大して示す図である。
【図５】図５は、本発明により製作された上下部のスラッジ脱水セットの締結構造を示す図である。
【図６】図６は、本発明により製作された１つのスラッジ脱水セットの平面図である。
【発明を実施するための形態】
【００３０】
本発明は、スラッジ中の水をろ過するためのろ過ベルトと、食べ物、汚廃水又は下水のスラッジなどが注入されるスラッジ室と、スラッジ室内に固設され、スラッジを圧縮するための空気又は液体が注入される加圧用チューブ(又は、メンブレイン)と、ろ過ベルトを通過して出た水を受けるための水受とから構成されたスラッジ脱水セットを、複数の層で設計製作して、多量のスラッジを迅速且つ効率よく処理する複数の層で構成されたスラッジ脱水装置を具現することにある。 
【００３１】
また、本発明は、スラッジに圧力を加え、ろ過ベルトを用いて水を脱水するために、ろ過ベルトの下部に、圧力でろ過ベルトが垂れないように支えると共に、脱水された水が下部に移動するように、スチールメッシュ状の網、又はマトリックス状で孔が形成された構造物を設け、網又は孔を通過して集水部に集められた水は、排出口を介して排出され、集水部の下部には、液体又は空気注入部が設けられ、液体又は空気注入部の下には、スラッジ注入部が設けられ、液体又は空気注入部とスラッジ注入部との間には、メンブレインが固設され、注入される液体又は空気の圧力でスラッジに圧力を加えて、ろ過ベルトの下部に、スラッジに含まれた水を脱水するように構成された複数の層を有するスラッジ脱水セット、及びスラッジ脱水装置を備える。
【００３２】
本発明の具体的な実施例を、図面に基づいて説明する。図１には、本発明によるスラッジ脱水セットが複数の層で設計製作されたスラッジ脱水装置の全体的な構成を示している。
【００３３】
本発明により製作されてスラッジを脱水する１つの層を形成するスラッジ脱水セット(１つの層を形成して脱水を行う技術的構成を‘スラッジ脱水セット’という)は、大きく、スラッジが注入されるスラッジ室と、スラッジ中の水をろ過するためのろ過ベルトと、スラッジ室内の圧力を増加させる加圧用チューブ(又は、メンブレイン)と、水受とから構成されている。 
【００３４】
従来のろ過ベルトを用いたスラッジ脱水処理は、スラッジが注入されたチャンバ内に高圧ガスを注入して、スラッジに含まれた水と水分を除去する技術的構成であって、スラッジに圧力を加える高圧ガス自体がフィルタを通過して、水分除去の効率が低下するという問題があった。
【００３５】
また、１つの大容器で構成されて、スラッジに圧力を効率よく加えられないため、脱水時間が長く、所望する脱水率を達成し難いという問題があった。 
【００３６】
図１により、複数の層で構成されたスラッジ脱水装置において、１つの層を構成するスラッジ脱水セットについて説明する。
【００３７】
図１に示しているように、スラッジ脱水セットの上には、生ごみ、汚廃水又は下水のスラッジなどに含まれた水又は水分を脱水するために、スラッジが注入されるスラッジ室(図１の１３)が位置する。
【００３８】
前記スラッジ室(図１の１３)の下部は、開放されており、開放したスラッジ室の下部と密着し、スラッジ室内に注入されたスラッジ中の水及び水分を加圧してろ過するためのろ過ベルト(図１の１９)を備えている。 
【００３９】
前記スラッジ室(図１の１３)内に固設され、スラッジを圧縮するための空気又は液体が注入される加圧用チューブ(メンブレイン)(図１の１４)と、ろ過ベルト(図１の１９)を通過して出た水を集水するための水受(図１の２２)とが、ろ過ベルト(図１の１９)の下部に固設されている。 
【００４０】
図１に示しているように、ろ過ベルト(図１の１９)の両側には、ろ過ベルト(図１の１９)を張り切って維持し、脱水後のスラッジ脱水ケーキを、スラッジケーキ貯蔵容器(図１の２５)に容易に移送するためのローラ(図１の２０、２１)が設けられている。
【００４１】
前記ローラ(図１の２０、２１)は、一側のみを回転モータで構成するか、両側を回転モータで構成して、ろ過ベルト(図１の１９)を両側に引っ張って維持するか、ろ過ベルトを一側に移動させて、脱水されたスラッジケーキを移動するようになっている。
【００４２】
スラッジ脱水セットはそれぞれ、脱水動作を行い、それぞれの動作を統一して同時に行うことで、効率よくスラッジを脱水し、脱水されたスラッジは、スラッジケーキ貯蔵容器(図１の２５)に貯蔵される。 
【００４３】
図１及び図２から分かるように、本発明によるスラッジ脱水装置は、多数のスラッジ脱水セットで構成され、それぞれのスラッジ脱水セットは、同一の時間に同一の動作を行うことで、迅速且つ効率よく脱水が行われる。
【００４４】
本発明によるスラッジ脱水セットは、同一の時間に同一の動作を行うために、スラッジ貯蔵タンクからそれぞれのスラッジ室へスラッジを同時注入し、同時に加圧用チューブに空気又は液体を注入して、スラッジを脱水し、脱水されたスラッジを、スラッジケーキ貯蔵容器(図１の２５)に移動させる。このような技術的構成について、説明する。
【００４５】
それぞれのスラッジ室の一側には、スラッジ室にスラッジを注入するためのスラッジ注入口(図１の１７)が設けられている。
【００４６】
外部から収集されたスラッジを貯蔵しているスラッジ貯蔵タンク(図示せず)から、それぞれのスラッジ室(図１の１３)にスラッジを同時に注入する技術的構成は、スラッジ貯蔵タンクと連結された１つの配管から分枝して、それぞれのスラッジ室(図１の１３)に設けられたスラッジ注入口と配管で連結され、１つの配管の一側に、スラッジ注入のための１つのスラッジ注入ポンプを設けて、スラッジを注入する。
【００４７】
前記スラッジ注入ポンプは、１つの配管から分枝されたそれぞれの配管の一側に設けて、同時に注入するか、又は、グループ別にスラッジ注入ポンプを設けて、スラッジをスラッジ室(図１の１９)に注入するように構成することもできる。 
【００４８】
配管は、金属材質で製作するか、柔軟性を有する合成樹脂材質を用いて構成するか、又は、これを区間別に分けて混用することもでき、脱水に必要な圧力に耐えられ、耐久性に優れるものであればよい。
【００４９】
次は、スラッジ室(図１の１３)内に位置して、スラッジに含まれた水又は水分を脱水する加圧用チューブ(メンブレイン)(図１の１４)について、説明する。
【００５０】
スラッジ室(図１の１３)内に位置する加圧用チューブ(メンブレイン)(図１の１４)の一側には、加圧用チューブ(メンブレイン)(図１の１４)に空気又は液体を注入して、スラッジ室内の圧力を高めてスラッジを脱水するために、空気又は液体を注入する空気又は液体注入口(図１の１６)が設けられている。 
【００５１】
空気又は液体注入口(図１の１６)と連結された空気又は液体注入のための配管の一側には、空気又は液体を注入する空気又は液体注入ポンプが設けられている。
【００５２】
空気又は液体注入ポンプは、前記スラッジ注入と同様の構成で、１つの空気又は液体注入ポンプで１つの配管を介して、それぞれの加圧用チューブ(メンブレイン)(図１の１４)に設けられた空気又は液体注入口と連結するように分枝配管して、設定圧力で空気又は液体を、加圧用チューブ(メンブレイン)(図１の１４)中に注入するように構成される。 
【００５３】
また、それぞれの空気又は液体注入口の一側に、空気又は液体注入ポンプを設けて、一定の圧力で空気又は液体を注入して、加圧用チューブ(メンブレイン)(図１の１４)でスラッジ室内の圧力を増加することもできる。
【００５４】
スラッジ室(図１の１３)内に設けられる加圧用チューブ(メンブレイン)(図１の１４)は、空気又は液体を注入して圧力が高くなると膨張し、空気又は液体の圧力が低くなる場合に収縮し、高い圧力に耐え、耐久性の高いゴム材質又は合成樹脂材質などで製作することができる。 
【００５５】
加圧用チューブ(メンブレイン)(図１の１４)の形状は、スラッジ室(図１の１３)の内側形状に合わせて設計製作され、スラッジ室(図１の１３)の内側上部に固設されて、下部のスラッジに効率よく圧力を加えるようになっている。
【００５６】
また、他の技術的構成は、いくつの加圧用チューブ(メンブレイン)(図１の１４)をグループ別に一括して、グループ別に空気又は液体注入ポンプを設けることで、加圧用チューブ(メンブレイン)内に空気又は液体を注入して、それぞれのチャンバ内の圧力を増加することもできる。
【００５７】
次は、下部が開放したスラッジ室(図１の１３)を、ろ過ベルト(図１の１９)に密着して、スラッジをスラッジ室(図１の１３)内に注入した後、加圧用チューブ(メンブレイン)(図１の１４)内に空気又は液体を注入加圧してスラッジを脱水した後に、スラッジケーキを、スラッジケーキ貯蔵容器(図１の２５)に移送する構成について、説明する。 
【００５８】
図１において、スラッジケーキをスラッジケーキ貯蔵容器(図１の２５)に移送するためには、外部フレーム(図１の１１)の上部に固設された油圧シリンダ(図１の１２)を用いて、それぞれの加圧用チューブ(メンブレイン)(図１の１４)が設けられたスラッジ室を上部に移動させた後、ろ過ベルト上に位置したスラッジケーキを、ろ過ベルトの両側縁に設けられたローラを回転させて、スラッジケーキ貯蔵容器(図１の２５)に移送する。 
【００５９】
外部フレーム(図１の１１)の上部に固設された油圧シリンダ(図１の１２)は、脱水を終了したそれぞれのスラッジ室(図１の１３)中のスラッジケーキを、同時にスラッジケーキ貯蔵容器に移動するように、設定高さまで持ち上げるようになっている。前記油圧シリンダ(図１の１２)の位置は、必要によって変更可能である。
【００６０】
ろ過ベルト上に位置したスラッジケーキは、脱水時にろ過ベルトを張り切って維持し、脱水後、ろ過ベルトを移動するように、ろ過ベルトの両側縁にローラ(図１の２０、２１)が設けられている。
【００６１】
ローラ(図１の２０、２１)は、両側を回転モータで構成するか、一側にのみ回転モータを設けて、両側又は一側において、ろ過ベルトを巻回するろ過ベルトを張り切って維持し、必要によって、両側又は一側の回転モータを回転して、スラッジケーキをスラッジケーキ貯蔵容器(図１の２５)に移動するようになっている。
【００６２】
また、他の実施例において、それぞれのスラッジ室(図１の１３)と加圧用チューブ(メンブレイン)(図１の１４)とを固定し、油圧シリンダ(図１の１２)を用いて、それぞれのろ過ベルト(図１の１９)と水受(図１の２２)とを同時に下部に移動させ、スラッジケーキをスラッジケーキ貯蔵容器(図１の２５)に移送する。
【００６３】
前述した本発明による技術的構成の様々な変形により、スラッジケーキをスラッジケーキ貯蔵容器に移送する技術的構成を達成することができるが、このような変形は、本発明の保護範囲に属する。 
【００６４】
図２は、前述した複数の層で構成されたスラッジ脱水装置において、それぞれのスラッジ室(図１の１３)と加圧用チューブ(メンブレイン)(図１の１４)とを、油圧シリンダ(図１の１)を用いて、設定高さに移動させた後、スラッジケーキを、スラッジケーキ貯蔵容器(図１の２５)に排出する状態を示している。
【００６５】
本発明によるスラッジ脱水セットを複数の層で設計製作するために、多数のガイド及び支持台が、装置のフレームに固設されている。
【００６６】
図１及び図２において、ガイド及び支持台は、４つで構成され、４つのガイド及び支持台が油圧シリンダに連動するように構成されて、上下に移動する構成と、固設される構成とからなっている。
【００６７】
前述した加圧用チューブ(メンブレイン)(図１の１４)を内蔵したスラッジ室(図１の１３)は、スラッジ脱水後、油圧シリンダ(図１の１２)を用いて、スラッジ室(図１の１３)を、４つのガイド及び支持台(図１の２３)によって上部に移動させて、スラッジケーキを、スラッジケーキ貯蔵容器に移送するようになっている。
【００６８】
ろ過ベルト(図１の１９)、水受(図１の２２)、ローラ(図１の２０、２１)は、外部フレーム(図１の２３)、及び/又は４つのガイド及び支持台(図１の２３)に固設されている。
【００６９】
前記ガイド及び支持台は、１又は２以上に様々に変形して構成することができる。 
【００７０】
前記油圧シリンダ(図１の１２)を用いて、スラッジ室(図１の１３)を設定高さに移動させるためには、脱水作業時に、それぞれのスラッジ室(図１の１３)と水受(図１の２２)との間が、脱水されたスラッジケーキの移動のために、一定間隔が維持するようになっている。
【００７１】
また、他の実施例は、加圧用チューブ(又は、メンブレイン)が内部に設けられたそれぞれのスラッジ室(図１の１３)を、ガイド及び支持台(図１の２３)、及び/又は外部フレーム(図１の２３)に固設し、油圧シリンダを用いて、それぞれのローラ、ろ過ベルト、及び水受を同時に下部に移動できるように構成することもできる。
【００７２】
図１に示しているように、本発明によるスラッジ脱水装置は、外部フレームの底に下部支持台を設け、その上に前述した多数のガイド及び支持台(図１の２３)が固設されることができる。
【００７３】
また、他の実施例は、外部フレームの底から、多数のガイド及び支持台を外部フレームの上部まで延在するように固設し、ここに複数のスラッジ脱水セットを固設することもできる。 
【００７４】
また、他の実施例は、前記スラッジ脱水装置の水受と下部チャンバとを一括して１つに設計製作し、ろ過フィルタとローラを上下に移動できるように構成することもできる。
【００７５】
更に、他の実施例は、前記スラッジ脱水装置において、複数の層で構成されたスラッジ脱水セットを上下分離したとき、それぞれのスラッジ脱水セットの間が上下設定間隔を維持するラッチを備える構成である。
【００７６】
前記ラッチは、かばん、コッヘル、又は多層に形成された容器などにおいて、蓋と胴体、又は胴体と胴体を相互締結又は分離するときに用いられる通常の締結手段である。
【００７７】
前記設定間隔とは、ラッチに締結されたスラッジ脱水セットを分離する場合に、ろ過ベルト上に位置したスラッジを排出する間隔をいう。 
【００７８】
すなわち、設定間隔は、脱水されたスラッジの高さよりも大きい間隔をいう。
【００７９】
本発明は、前述した技術的構成を基に、様々に変形して実施することができ、複数の層でスラッジ脱水セットを設けて、同時に多いスラッジを高い脱水率と効率を維持しながら、速かにスラッジを処理可能な構成であれば、本発明の保護範囲に属する。
【００８０】
本発明の具体的な実施例を、図面を基に説明する、図３は、本発明により製作された１つのスラッジ脱水セットの側面図である。
【００８１】
本発明による脱水装置は、図３に示しているように、１つのスラッジ脱水セットを多数の層で容易に組立製作し、チャンバ内に注入されるスラッジの高さを低く形成することで、脱水効率が高く、脱水時間を減少することができ、それぞれのスラッジ脱水セット別にメインテナンスが可能であり、メインテナンス費用を大きく節減することができる。 
【００８２】
また、１つのスラッジ脱水セットが故障した場合に、故障したチャンバだけ、スラッジ脱水及びスラッジを脱水するための液体又は空気の注入を中止し、残りのチャンバは、正常に動作することができる。また、故障したスラッジ脱水セットにおいて、故障した部品のみを交換することにより補修が可能であり、迅速で容易に行うことができる。 
【００８３】
図３に基づいて、本発明の構成を説明する、
【００８４】
図３において、スラッジに圧力を加えて、ろ過ベルト(図４の５５)で水を脱水することにおいて、ろ過ベルト(図４の５５)が圧力によって下部に垂れることなく、効率よく脱水できるように支えると共に、圧力によって脱水された水が下の集水部に移動するように、スチールメッシュ状の網、又はマトリックス状に多数の孔が形成された構造物(図３の３２)が、チャンバの上部に固設されている。
【００８５】
スチールメッシュ状の網、又はマトリックス状に多数の孔が形成された構造物(図３の３２)は、さびない金属材質又は耐久性に優れた合成樹脂材で正四角形又は直四角形に製作するか、射出成形して製作することができ、脱水時に加える圧力に耐えられる程度であれば、十分である。
【００８６】
スチールメッシュ状の網、又はマトリックス状の多数の孔が形成された構造物(図３の３２)の下部には、脱水された水が集める集水部(図３の３３)が形成されており、集水部(図３の３３の前面又は後面の下部には、集水された水を排出するための排出口(図３の３６)が形成されている。 
【００８７】
チャンバ内の集水部(図３の３３)と、液体又は空気注入部(図３の３４)とは、完全に密閉するように、隔壁を形成して製作し、チャンバは、脱水のために、液体又は空気注入口(図３の３７)に液体及び空気を注入する場合に加えられる圧力に耐えられ、耐久性を有する金属又は合成樹脂材質で構成することができる。 
【００８８】
集水部(図３の３３)の下部には、密閉した空間を形成し、液体又は空気を注入するための液体又は空気注入口(図３の３７)が、チャンバの液体又は空気注入部(図３の３４)の前面又は後面の上部に固設され、液体又は空気注入部(図３の３４)の下部には、弾性の高い材質で製作されたメンブレイン(図３の４０)を取付けて、密閉するようになっている。
【００８９】
メンブレイン(図３の４０)は、チャンバ内に固設されて、液体又は空気注入口(図３の３７)に液体又は空気を注入し、内部圧力が変化するとき、上下に移動するように構成されている。メンブレイン(図３の４０)は、図４に示しているように、チャンバ内に一定の深さで全方向で挿入締結して、完全に密閉するように構成されている(接着剤など使用可能)。 
【００９０】
メンブレイン(図３の４０)は、弾性が高く、耐久性に優れた材質で製作され、液体、空気、及びスラッジが相互通過しない、例えば、ゴム材質の平面に製作使用可能であり、その他に、弾性が高く、耐久性に優れた合成樹脂材を用いて製作使用することができる。メンブレイン(図３の４０)は、蛇腹状に設計製作して、圧力変化に容易に適応するように構成することができる。
【００９１】
チャンバ内の集水部(図３の３３)と、液体又は空気注入部(図３の３４)との間は、隔壁で強固に分離されて、下部の液体又は空気の圧力に耐えられ、液体又は空気の圧力がメンブレイン側に伝達されるようになっている。 
【００９２】
メンブレイン(図３の４０)と、ろ過ベルト(図４の５５)との間のチャンバ(図３の３１)の一側には、スラッジを注入するためのスラッジ注入口(図３の３８、３９)が、チャンバに固設されたメンブレインの下部の一側(チャンバの前面又は後面)に形成され、固設されたスラッジ注入口(図３の３８、３９)を介して、スラッジ注入部(図３の３５)にスラッジを設定量分注入した後、スラッジ注入口(図３の３８、３９)の一側に設けられたバルブを閉弁した後、液体又は空気注入口(図３の３７)に液体又は空気を注入して、設定圧力でスラッジに圧力を加え、ろ過ベルト(図４の ３５)の下部に、スラッジに含まれた水が脱水するようになっている。 
【００９３】
液体又は空気注入部(図３の３４)内の一側には、液体又は空気注入部の圧力を測定するための圧力センサを設け、液体又は空気注入ポンプによって注入される液体又は空気による圧力を測定して、設定圧力を維持するようになっている。 
【００９４】
それぞれのチャンバ内に設けられた液体又は空気注入部(図３の３４)は、外部に設けられた液体又は空気を注入するための液体又は空気注入ポンプが設けられ、液体又は空気注入ポンプと、液体又は空気注入口(図３の３７)との間には、配管又はホースで連結して、液体又は空気を注入するようになっている。 
【００９５】
複数のチャンバと、液体又は空気注入ポンプとを並列に配管又はホースで連結して、液体又は空気注入部(図３の３４)中に液体又は空気を注入することが望ましいが、それぞれのチャンバに、それぞれの液体又は空気注入ポンプを設置するか、又は２以上一括して設置することができる。
【００９６】
それぞれのスラッジ注入配管には、スラッジ注入を遮断するか、スラッジ注入のために開閉可能なバルブが固設されている。バルブは、自動又は手動バルブが設けられる。 
【００９７】
それぞれのチャンバに設けられたスラッジ注入部(図３の３５)は、スラッジ注入ポンプでそれぞれのチャンバにスラッジを注入し、スラッジ注入ポンプと、チャンバのスラッジ注入口(図３の３８、３９)とを、配管又はホースで並列連結して、複数のチャンバ中にスラッジを同時に注入するようにするのが望ましいが、それぞれのチャンバに、それぞれのスラッジ注入ポンプを設置するか、又は２以上一括して設置することができる。
【００９８】
チャンバ(図３の３１)の前と後には、脱水されたスラッジを排出するために、最上端のチャンバの上部と、油圧シリンダ又は空気圧シリンダとを、締結手段(図示せず)を用いて強固に締結し、これを用いてそれぞれのチャンバを、ろ過ベルトから設定高さ分、持ち上げられるように構成し、持ち上げた後、チャンバ下部の左側及び右側に設けられたローラを用いて、ろ過ベルトを左側から右側に移動させて、脱水されたスラッジ脱水ケーキを、脱水ケーキ貯蔵容器に移送するようになっている。
【００９９】
脱水時には、油圧シリンダ又は空気圧シリンダを用いて、上部のチャンバを押圧して下部のチャンバまで密着するので、チャンバの下部がろ過ベルトに密着して、注入される液体又は空気が外部に漏出することなく、脱水に用いられるように押圧する機能を働く。 
【０１００】
ろ過ベルト(図４の５５)は、それぞれのチャンバと物理的に分離するように設けられ、脱水時に相互隣接して位置した上部及び下部チャンバが相互密着するように構成され、脱水後の脱水ケーキの排出のために、ろ過ベルトの上部に位置したチャンバを、設定高さ分、持ち上げるようになっている。 
【０１０１】
チャンバと分離するように設けられたろ過ベルトの左側及び右側に設けられたローラ(図６の ７１)は、一側又は両側にモータを設けて、ろ過ベルトを張り切って維持する機能と、脱水が終了したスラッジを、ローラ(図６の７１)を回転させて、ろ過ベルト上にある脱水されたスラッジを、スラッジ貯蔵容器(図示せず)に移送する機能を働く。 
【０１０２】
本発明は、脱水後の脱水ケーキを、脱水ケーキ貯蔵容器に移送するために、複数の層が同時に上部に移動するか、脱水ケーキの移送後、チャンバを下部のろ過ベルト上に移動させることにおいて、チャンバが相互離脱することなく、上下に正確な位置に移動できるように、フレーム(図６の７３)の両側縁の上部に、１つの凸部を上に形成し、フレーム(図６の７３)の両側縁の下部に２つの凸部を下に形成し、上部に１つの凸部が下部に形成された２つの凸部の間に位置するようになっている。上部と下部に設けられる凸部の位置を相互変更して、上部に２つ、下部に１つを形成してもよい。 
【０１０３】
凸部は、脱水に際して、チャンバ間に空間が生じないように設計製作され、ろ過ベルトが位置しない左側及び右側のフレーム上に設けることが望ましい。
【０１０４】
それぞれのチャンバの前後には、上部及び下部チャンバが相互離脱するか、分離しないように、ガイド溝(図６の７６、７７)が形成された部材(図６の７４、７５)が突出形成されており、ガイド部材(図５の６３)は、上部及び下部ガイド溝(図６の７６、７７)に締結されて、上下に相互隣接したチャンバを保持するように構成されている。ガイド部材(図５の６３)には、ガイド部材をガイド溝(図６の７６、７７)に挿入締結した後、上部及び下部に係止部材(図５の６４、６５)を締結する場合に、ガイド部材(図５の５３)がガイド溝(図６の７６、７７)から離脱しないようになっている。 
【０１０５】
ガイド溝(図６の７６、７７)が形成された部材(図６の７４、７５)と、ガイド部材(図５の６３)とは、スラッジの脱水後、脱水ケーキを移送するために、最上部のチャンバを油圧又は空気圧シリンダで持ち上げた場合に、チャンバとチャンバとの間の間隔を一定に維持するための機能も働くので、様々に変形可能である。チャンバ間の一定間隔を維持する他の例として、板状ガイド部材に上下に長い締結溝を形成し、ガイド溝が形成された部材に上下に締結した後、それぞれのガイド溝から板状ガイド部材が分離しないように、締結部材を固設して、設定間隔を維持するように構成することもできる。 
【０１０６】
図３のガイド溝が形成された部材(図３の４１〜４４)は、それぞれのチャンバの前後部に設けられ、左側及び右側にそれぞれ２つずつ設けられている。その理由は、締結に際して、ガイド部材が互いにぶつからないようにするためであり、具体的な例として、内側の２つを上部チャンバと連結することに用いた場合、外側の２つは、下部チャンバと連結して脱水された脱水ケーキを排出するために、上部への移動において、チャンバ間の距離を一定に維持し、下部に下降する場合に、ガイド部材同士ぶつからないように構成されている。このような構成は、上部で上部チャンバを持ち上げるとき、下部のチャンバが共に持ち上げられて、チャンバとチャンバ間の間隔がスラッジケーキを排出するように維持可能な構成であれば、十分である。
【０１０７】
本発明は、アイドラローラ(図６の７２)をチャンバの集水部の左右側のろ過ベルトの下部にそれぞれ設けて、スラッジの脱水後、脱水されたスラッジをスラッジ貯蔵容器に移送するとき、ろ過ベルトと集水部の上部との摩擦力を低減して、ローラを駆動するモータの負荷を減らし、ろ過ベルトの損傷を減少し、スムーズに移送するようになっている。
【０１０８】
チャンバの右側又は左側の縁部の一側には、ろ過ベルトの張力を調節するろ過ベルト張力調節用バネ(図３の４８)を、ローラを支持するフレームの一側に固設することができる。 
【０１０９】
本発明による脱水セットを用いて複数の層を形成することにおいて、最上部に位置するチャンバは、スチールメッシュ状の網、又はマトリックス状で多数の孔が形成された構造物(図６の７８)と集水部を形成する必要がないが、本発明による脱水セットをそのまま採用して、上部に位置した集水部を利用しなければならない。
【０１１０】
また、本発明による脱水セットを用いて複数の層を形成することにおいて、最下部に位置するチャンバは、液体又は空気注入部とスラッジ注入部を形成する必要がないが、本発明による脱水セットをそのまま採用して、下部に位置した液体又は空気注入部とスラッジ注入部とを利用しなければならない。
【０１１１】
本発明による脱水セットを用いて複数の層を形成した後、脱水されたスラッジケーキを移送するために、最上部のチャンバを上に持ち上げるか、スラッジケーキをスラッジ貯蔵容器に移送した後、チャンバを下部に移動して密着するために、最上部のチャンバの前後部にガイド溝とガイド部材を締結して、油圧シリンダ又は空気圧シリンダで最上部のチャンバを上下に移動できるように、強固に締結することができる。 
【０１１２】
上下への移動において、チャンバとチャンバの間が一定の間隔を維持できるように、一定の長さを有したガイド部材が、上下のチャンバ間に設けられたガイド溝に締結されている。 
【０１１３】
具体的な例として、チャンバの高さは、５ｃｍ〜４０ｃｍが望ましく、横及び縦の長さは、０.５m〜１.５mが望ましいが、このような数値範囲は、横と縦の長さ、チャンバの高さ比率、スラッジ処理容量、及び効率を考えて、はずれて設計製作することもできる。 
【０１１４】
本発明の明細書で記述していない構成は、通常の技術を採用して行われた構成であり、図３、図４、及び図６では、同一の構成に対して、互いに異なる図面符号を付して示している。 
【０１１５】
スチールメッシュと、脱水された水を集水する集水部と、メンブレインと、液体又は空気を注入するための液体又は空気注入部と、スラッジ注入部と、ろ過ベルトとから構成されたものが、本発明によるスラッジ脱水装置において、１つの層を形成する１つのスラッジ脱水セットであり、本発明の保護対象である。
【０１１６】
前述したスラッジ脱水セットは、様々な変形が可能であり、そのような変形も、本発明の保護範囲に属する。
【産業上の利用可能性】
【０１１７】
本発明は、下部が開放したスラッジ室の下に、スラッジろ過ベルトが位置し、スラッジをチャンバ内に注入し、注入されたスラッジ上に加圧用チューブ(又は、メンブレイン)が設けられ、スラッジに圧力を加えて、ろ過ベルトで水をろ過させて排出して脱水するか、ろ過ベルトの下に、圧力でろ過ベルトが垂れないように支えると共に、脱水された水が下部に移動するように、スチールメッシュ状の網、又はマトリックス状で多数の孔が形成された構造物を設け、スラッジ注入部でスラッジを注入した後、スラッジ上に位置したメンブレインに液体又は空気を注入し、スラッジに圧力を加えて、ろ過ベルトの下部に、スラッジに含まれた水を脱水するように構成されたスラッジ脱水セット、及びこれを複数の層で組立製作したスラッジ脱水装置を提供して、多量のスラッジを迅速で効率よく処理することができるので、産業上利用可能性が非常に高い。
【符号の説明】
【０１１８】
１１ : 外部フレーム
１２ : 油圧シリンダ
１３ : スラッジ室
１４ : 加圧用チューブ(又は、メンブレイン) 
１５ : スラッジ 
１６ : 空気又は液体注入口 
１７ : スラッジ注入口 
１８ : 排出口 
１９ : ろ過ベルト 
２０、 ２１: ローラ 
２２ : 水受 
２３ : ガイド及び支持台 
２４ : 下部支持台 
２５ : スラッジ貯蔵容器 
３１ : チャンバ 
３２ : メッシュ状の網又は孔が形成された構造物 
３３ : 集水部 
３４ : 液体又は空気注入部
３５ : スラッジ注入部 
３６ : 排出口 
３７ : 液体又は空気注入口 
３８、 ３９ : スラッジ注入口 
４０ : メンブレイン 
４１〜４４ : ガイド溝が形成された部材
４５、 ４６ : アイドラローラ 
４７: ローラ
４８ : バネ 
４９〜５４ : 凸部
５５ : ろ過ベルト 
６１、 ６２ : ガイド溝が形成された部材 
６３ : ガイド部材 
６４、 ６５ : 係止部材 
７１ : ローラ 
７２ : アイドラローラ 
７３ : フレーム 
７４、 ７５ : ガイド溝が形成された部材 
７６、 ７７ : ガイド溝
７８ : メッシュ状の網又は孔が形成された構造物 
７９ : 排出口
【図１】
2015522404.tif 000003
【図２】
2015522404.tif 000004
【図３】
2015522404.tif 000005
【図４】
2015522404.tif 000006
【図５】
2015522404.tif 000007
【図６】
2015522404.tif 000008
【国際調査報告】
2015522404.tif 000009
2015522404.tif 000010
2015522404.tif 000011
2015522404.tif 000012
2015522404.tif 000013
2015522404.tif 000014